(57)【特許請求の範囲】
【請求項１】
画像を撮影してデジタル画像データを得るデジタル画像撮影手段と、画像が撮影される度に撮影された前記デジタル画像データを圧縮して圧縮画像データを生成する画像圧縮手段と、前記生成された圧縮画像データが所定数に達したとき前記所定数分の圧縮画像データに対応のデジタル画像データを表示するための構造化文書を作成する構造化文書作成手段と、クライアントの要求に応じて前記構造化文書を送信するＷＷＷサーバ手段と、を具備することを特徴とするデジタルカメラ。
【請求項２】
前記デジタル画像データを表示するための構造化文書は、前記デジタル画像データを要求するための項目として縮小画像データを含むことを特徴とする請求項１記載のデジタルカメラ。
【請求項３】
前記デジタル画像データを表示するための構造化文書は、前記デジタル画像データの画像表示を要求するボタンと前記デジタル画像データのリスト表示を要求するボタンとを含むデジタル画像データ選択画面を表示するための記述を含むことを特徴とする請求項１記載のデジタルカメラ。
【請求項４】
前記画像表示を要求するボタンは、前記デジタル画像データ毎の表示を要求するための項目を含むデジタル画像データ要求画面にリンクされていることを特徴とする請求項３記載のデジタルカメラ。
【請求項５】
前記デジタル画像データ毎の表示を要求するための項目は、前記デジタル画像データの縮小画像データであることを特徴とする請求項４記載のデジタルカメラ。
【請求項６】
前記リスト表示を要求するボタンは、前記デジタル画像データ毎の表示を要求するための項目と撮影日毎の前記デジタル画像データの画像表示を要求するための項目とを含むデジタル画像データ要求画面にリンクされていることを特徴とする請求項３記載のデジタルカメラ。
【請求項７】
コンピュータネットワークとの各種データの入出力を制御するネットワーク制御手段を具備し、前記ＷＷＷサーバ手段は、前記コンピュータネットワークを介して接続されたクライアントの要求に応じて前記構造化文書を送信することを特徴とする請求項１から請求項６のいずれかに記載のデジタルカメラ。
【請求項８】
画像を撮影してデジタル画像データを得る工程と、画像が撮影される度に撮影された前記デジタル画像データを圧縮して圧縮画像データを生成する工程と、前記生成された圧縮画像データが所定数に達したとき前記所定数分の圧縮画像データに対応のデジタル画像データを表示するための構造化文書を作成する工程と、クライアントの要求に応じて前記構造化文書を送信する工程と、を具備することを特徴とする画像送信方法。
【発明の詳細な説明】
【０００１】
【発明の属する技術分野】
本発明は、デジタルカメラに関し、特に、ＷＷＷサーバ及びＬＡＮコントローラを内蔵するデジタルカメラ及び画像送信方法に関する。
【０００２】
【従来の技術】
近年、デジタルカメラで撮影した画像データをパーソナルコンピュータ（以下、「ＰＣ」という）上で表示し、他のユーザに対して閲覧等を行う技術が開発されている。特開平１０−２２４６７６号公報には、遠隔地にあるデジタルカメラとＰＣとの間において、デジタルカメラで撮影した画像データをＷＷＷブラウザの操作で送受信することができるデジタルカメラの一例が示されている。
【０００３】
なお、ＷＷＷ（Ｗｏｒｌｄ  Ｗｉｄｅ  Ｗｅｂ）とは、インターネット上で用いられる情報検索システムである。また、ＷＷＷブラウザとは、インターネット上のＷＷＷサーバを検索するソフトである。
【０００４】
【発明が解決しようとする課題】
しかしながら、上述のデジタルカメラにおいては、遠隔地にあるＰＣと画像データを送受信する機能を有しているが、撮影した画像データをｈｔｍｌ形式に変換する機能を有していない。したがって、撮影した画像データ等を含むｈｔｍｌ形式の文書に変換して、ホームページ上に表示することができない。このため、デジタルカメラで撮影した画像データを他のクライアントが簡単に閲覧することができないという問題がある。
【０００５】
本発明は、かかる点に鑑みてなされたものであり、撮影した画像データを他のクライアントが簡単に閲覧可能なデジタルカメラ及び画像送信方法を提供することを目的とする。
【０００６】
【課題を解決するための手段】
本発明は、所定の数の画像が撮影される度に定期的にデジタルカメラが所定数分の撮影画像をホームページに掲載した構造化文書を作成し、クライアントの要求に応じて、作成した構造化文書を送信するようにしたものである。
【０００７】
【発明の実施の形態】
本発明の第１の態様に係るデジタルカメラは、画像を撮影してデジタル画像データを得るデジタル画像撮影手段と、画像が撮影される度に撮影された前記デジタル画像データを圧縮して圧縮画像データを生成する画像圧縮手段と、前記生成された圧縮画像データが所定数に達したとき前記所定数分の圧縮画像データに対応のデジタル画像データを表示するための構造化文書を作成する構造化文書作成手段と、クライアントの要求に応じて前記構造化文書を送信するＷＷＷサーバ手段と、を具備する構成を採る。
【０００８】
この構成によれば、撮影されたデジタル画像データを表示するための構造化文書が作成され、クライアントの要求に応じて、その構造化文書がクライアントに送信される。このため、クライアントは、ＷＷＷブラウザを起動することによって、簡単に本デジタルカメラで撮影したデジタル画像データを閲覧することができる。また、画像の圧縮は撮影時に毎回行うが、構造化文書の作成はある程度画像が蓄積された時点でまとめて行うため、一撮影ごとに毎回構造化文書を更新する場合に比べて非常に装置の負荷を軽くすることができる。
【０００９】
本発明の第２の態様に係るデジタルカメラは、第１の態様において、前記デジタル画像データを表示するための構造化文書は、前記デジタル画像データを要求するための項目として縮小画像データを含む構成を採る。
【００１０】
この構成によれば、本デジタルカメラで撮影されたデジタル画像データに対応して縮小画像データが表示される。このため、クライアントは、デジタル画像データを選択する場合において、縮小画像データを見ながら選択することができるので、より簡単に所望のデジタル画像データを選択し、閲覧することができる。
【００１１】
本発明の第３の態様に係るデジタルカメラは、第１の態様において、前記デジタル画像データを表示するための構造化文書は、前記デジタル画像データの画像表示を要求するボタンと前記デジタル画像データのリスト表示を要求するボタンとを含むデジタル画像データ選択画面を表示するための記述を含む構成を採る。
【００１２】
この構成によれば、デジタル画像データの画像表示を要求するボタンとデジタル画像データのリスト表示を要求するボタンとを含むデジタル画像データ選択画面が表示される。このため、クライアントは、本デジタルカメラで撮影されたデジタル画像データを選択する場合に、クライアントが希望する表示形式を選択することができる。
【００１３】
本発明の第４の態様に係るデジタルカメラは、第３の態様において、前記画像表示を要求するボタンは、前記デジタル画像データ毎の表示を要求するための項目を含むデジタル画像データ要求画面にリンクされている具備する構成を採る。
【００１４】
この構成によれば、クライアントがこの画像表示ボタンを選択した場合には、デジタル画像データ毎の表示を要求するための項目が表示される。このため、クライアントは、希望するデジタル画像データ毎に選択することができる。
【００１５】
本発明の第５の態様に係るデジタルカメラは、第４の態様において、前記デジタル画像データ毎の表示を要求するための項目は、前記デジタル画像データの縮小画像データである構成を採る。
【００１６】
この構成によれば、本デジタルカメラで撮影されたデジタル画像データに対応して縮小画像データが表示される。このため、クライアントは、デジタル画像データを選択する場合において、縮小画像データを見ながら選択することができるので、より簡単にデジタル画像データを選択することができる。
【００１７】
本発明の第６の態様に係るデジタルカメラは、前記リスト表示を要求するボタンは、前記デジタル画像データ毎の表示を要求するための項目と撮影日毎の前記デジタル画像データの画像表示を要求するための項目とを含むデジタル画像データ要求画面にリンクされている構成を採る。
【００１８】
この構成によれば、クライアントがこのリスト表示ボタンを選択した場合には、デジタル画像データ毎の表示を要求するための項目と撮影日毎のデジタル画像データの画像表示を要求するための項目とが表示される。このため、クライアントは、希望するデジタル画像データ毎に選択することができると共にデジタル画像データを撮影日毎に選択することができる。
【００１９】
本発明の第７の態様は、第１から第６のいずれかの態様に係るデジタルカメラにおいて、コンピュータネットワークとの各種データの入出力を制御するネットワーク制御手段を具備し、前記ＷＷＷサーバ手段は、前記コンピュータネットワークを介して接続されたクライアントの要求に応じて前記構造化文書を送信する構成を採る。
【００２０】
この構成によれば、コンピュータネットワークを介して接続されたクライアントの要求に応じて構造化文書が送信される。このため、コンピュータネットワークを介して接続されたクライントは、本デジタルカメラで撮影されたデジタル画像データを簡単に閲覧することができる。
【００２１】
本発明の第８の態様に係る画像送信方法は、画像を撮影してデジタル画像データを得る工程と、画像が撮影される度に撮影された前記デジタル画像データを圧縮して圧縮画像データを生成する工程と、前記生成された圧縮画像データが所定数に達したとき前記所定数分の圧縮画像データに対応のデジタル画像データを表示するための構造化文書を作成する工程と、クライアントの要求に応じて前記構造化文書を送信する工程と、を具備するようにした。
【００２２】
この方法によれば、撮影されたデジタル画像データを表示するための構造化文書が作成され、クライアントの要求に応じて、その構造化文書がクライアントに送信される。このため、クライアントは、ＷＷＷブラウザを起動することによって、簡単に本デジタルカメラで撮影したデジタル画像データを閲覧することができる。また、画像の圧縮は撮影時に毎回行うが、構造化文書の作成はある程度画像が蓄積された時点でまとめて行うため、一撮影ごとに毎回構造化文書を更新する場合に比べて非常に装置の負荷を軽くすることができる。
【００２３】
以下、本発明の実施の形態について、図面を参照して詳細に説明する。
【００２４】
図１は、本発明の一実施の形態に係るデジタルカメラの構成を示すブロック図である。
【００２５】
図１に示すように、本デジタルカメラ１００は、レンズ１０１およびデジタル画像撮影部１０２を備えている。デジタル画像撮影部１０２は、レンズ１０１を通して結像した画像を撮像してデジタル画像データ（以下、「画像データ」という）を得る。
【００２６】
また、本デジタルカメラ１００は、ＬＡＮ制御部１０３、ＷＷＷサーバ部１０４、画像処理部１０５、操作部１０６、ｈｔｍｌファイル作成部１０７、記憶部１０８および制御部１０９を備えている。
【００２７】
ＬＡＮ制御部１０３は、ＬＡＮデバイスをコントロールし、外部ネットワークとの所定データの送受信を制御する。ＷＷＷサーバ部１０４は、ＷＷＷブラウザとの間でＨＴＴＰプロトコルにしたがった通信を行い、ｈｔｍｌファイルの受け渡しを行う。画像処理部１０５は、本デジタルカメラ１００で撮影した画像データの圧縮伸長を行う。画像処理部１０５は、例えば、本デジタルカメラ１００で撮影した画像データに対してＪＦＩＦ方式に準拠して圧縮伸長を行う。ＪＦＩＦ方式とは、ＪＰＥＧ方式で圧縮された画像データに画像情報などを付加してファイルに格納するための標準フォーマットである。ここでは、画像情報として、サムネイル画像を付加している。操作部１０６は、ユーザが本デジタルカメラ１００を操作する場合に使用され、例えば、シャッターボタンや画像データ消去ボタン等のポインティングデバイスを備えている。ｈｔｍｌファイル作成部１０７は、本デジタルカメラ１００で撮影した画像データを含む、ホームページ上で閲覧可能なｈｔｍｌファイルを作成する。記憶部１０８は、撮影画像格納エリア１１０、ｈｔｍｌファイル格納エリア１１１および圧縮画像格納エリア１１２を有している。撮影画像格納エリア１１０には、デジタル画像撮影部１０２が撮影した画像データ（以下、「撮影画像データ」という）が格納される。ｈｔｍｌファイル格納エリア１１１には、ｈｔｍｌファイル作成部１０７で作成されたｈｔｍｌファイルが格納されると共に本デジタルカメラ１００のホームページのメイン画面等の予め作成されたｈｔｍｌファイルが格納されている。圧縮画像格納エリア１１２には、画像処理部１０５で圧縮処理が行われた画像データ（以下、「圧縮画像データ」という）が格納される。画像処理部１０５は、ＪＦＩＦ方式に準拠した所定の圧縮処理を行うので、圧縮画像データには、画像データのサイズを縮小したサムネイル画像データが含まれる。制御部１０９は、これらの構成要素をはじめとして、本デジタルカメラ１００全体の制御を行う。
【００２８】
ＬＡＮ制御部１０３が所定データの送受信を制御する外部ネットワーク１１３は、例えば、インターネット等が該当する。このインターネット等の外部ネットワーク１１３にＰＣ１１４が接続されている。
【００２９】
次に、上記構成を有する本デジタルカメラ１００で撮影した画像データを表示するためのｈｔｍｌファイルを作成するまでの動作について説明する。
【００３０】
まず、デジタル画像撮影部１０２によって撮影された撮影画像データが記憶部１０８の撮影画像格納エリア１１０に格納される。
【００３１】
撮影画像データが撮影画像格納エリア１１０に格納されると、画像処理部１０５は、その撮影画像データに対して、ＪＦＩＦ方式に準拠した所定の圧縮処理を行う。画像処理部１０５により圧縮処理が行われた圧縮画像データは、圧縮画像格納エリア１１２に格納される。
【００３２】
所定数以上の圧縮画像データが圧縮画像格納エリア１１２に格納されると、ｈｔｍｌファイル作成部１０７がそれらの圧縮画像データを含むｈｔｍｌファイルを作成する。ｈｔｍｌファイル作成部１０７により作成されたｈｔｍｌファイルは、ｈｔｍｌファイル格納エリア１１１に格納される。
【００３３】
このようにして、本デジタルカメラ１００で撮影した画像データを表示するためのｈｔｍｌファイルが作成される。
【００３４】
次に、本デジタルカメラ１００で撮影した画像データが外部ネットワーク１１３に接続されたＰＣ１１４に表示されるまでの動作について、図２に示すフロー図にしたがって説明する。ここで、本デジタルカメラ１００は、ＬＡＮ制御部１０３によりイーサネット等のＬＡＮに接続されているものとする。また、本デジタルカメラ１００には、ＩＰアドレスが設定されているものとする。これにより、本デジタルカメラ１００は、外部ネットワーク１１３に対してサーバ機能を提供することができるようになっている。
【００３５】
本デジタルカメラ１００は、ＩＰアドレス（ＵＲＬアドレス）を指定してホームページにアクセスされるまで待機状態である。
【００３６】
外部ネットワーク１１３に接続されたＰＣ１１４のクライアントが、ＷＷＷブラウザを起動し、本デジタルカメラ１００のＩＰアドレスを指定してホームページにアクセスする（ＳＴ２０１）。ＰＣ１１４のＷＷＷブラウザがホームページにアクセスすることにより、本デジタルカメラ１００のホームページのメイン画面のファイルを要求していることとなる。ＩＰアドレスの指定は、例えば、１２３．４５６．７８９．０等のＩＰアドレスを直接ユーザが指定する方法もあるが、ＤＨＣＰ等のサーバアプリケーションを使用してもよい。
【００３７】
アクセスを受けた本デジタルカメラ１００は、ＬＡＮ制御部１０３を通してＷＷＷサーバ部１０４が処理を開始する。ＷＷＷサーバ部１０４は、ＰＣ１１４から受信したホームページのメイン画面のファイル（ｉｎｄｅｘ．ｈｔｍｌ）を要求するコマンドを受けて、記憶部１０８のｈｔｍｌファイル格納エリア１１１からｉｎｄｅｘ．ｈｔｍｌファイルを読み出してＰＣ１１４のＷＷＷブラウザに送出する（ＳＴ２０２）。図３に記憶部１０８のｈｔｍｌファイル格納エリア１１１に格納されたｈｔｍｌファイルのファイル関連表を示す。ホームページのメイン画面のファイル（ｉｎｄｅｘ．ｈｔｍｌ）にホームページを表示するのに必要なファイルが関連付けられている。
【００３８】
ＰＣ１１４のＷＷＷブラウザは、ホームページのメイン画面のファイル（ｉｎｄｅｘ．ｈｔｍｌ）を受け取ると、その内容を解析してホームページの表示に必要なファイルを要求するコマンドをＷＷＷサーバ部１０４に対して送出する（ＳＴ２０３）。例えば、図４に示すようなホームページのメイン画面を表示するのであれば、ＰＣ１１４のＷＷＷブラウザは、「画像表示」、「リスト表示」のそれぞれのアイコン表示に必要なファイル（図３に示すｉｍｇ０．ｈｔｍｌ、ｌｉｓｔ０．ｈｔｍｌ）を要求するコマンドをＷＷＷサーバ部１０４に対して送出する。
【００３９】
ＷＷＷサーバ部１０４は、ホームページのメイン画面を表示するのに必要なファイル要求を受けると、記憶部１０８のｈｔｍｌファイル格納エリア１１１から該当するファイルを読み出してＰＣ１１４のＷＷＷブラウザに送出する（ＳＴ２０４）。これにより、ＰＣ１１４の画面上に、本デジタルカメラ１００のホームページのメイン画面が表示される（ＳＴ２０５）。
【００４０】
図４に示すホームページのメイン画面が表示されると、ＰＣ１１４上でクライアントが希望するアイコンを選択するまで、本デジタルカメラ１００はそのまま待機する。
【００４１】
ここで、まず、ホームページのメイン画面から「画像表示」アイコンが選択された場合について説明する。「画像表示」アイコンが選択されると、そのアイコン表示位置にリンクされた画像表示に対するファイル要求が発生する（ＳＴ２０６）。
【００４２】
ＷＷＷサーバ部１０４は、この画像表示のファイル要求を受信すると、記憶部１０８のｈｔｍｌファイル格納エリア１１１から画像表示のｈｔｍｌファイルを読み出してＰＣ１１４のＷＷＷブラウザに送出する（ＳＴ２０７）。
【００４３】
ＰＣ１１４のＷＷＷブラウザがＷＷＷサーバ部１０４から受信した画像表示のｈｔｍｌファイルにしたがって、「画像表示」の画面（画像表示文書画面）を表示する（ＳＴ２０８）。
【００４４】
図５に画像表示文書画面の構成例を示す。同図に示すように、画像表示文書画面には、本デジタルカメラ１００で撮影した画像データのサイズを縮小したサムネイル画像データが表示される。図６は、この画像表示文書画面のソースファイルの一部を示している。「ｉｍｇＮ．ｊｐｇ」が撮影画像データのファイル名を示し、「ｉｍｇＮ＿ｓ．ｊｐｇ」がサムネイル画像データのファイル名を示している。ここで、サムネイル画像データが選択されたとき、撮影画像データが表示されるように記述されている。
【００４５】
ここで、画像番号４のサムネイル画像データ（図５中に示すｉｍｇ４＿ｓ．ｊｐｇ）が選択されたものとする。画像番号４のサムネイル画像データが選択されると、これに対する撮影画像データ要求が発生する（ＳＴ２０９）。
【００４６】
ＷＷＷサーバ部１０４は、画像番号４のサムネイル画像データに対する撮影画像データ要求を受信すると、記憶部１０８の撮影画像格納エリア１１０から画像番号４の撮影画像データを読み出してＰＣ１１４のＷＷＷブラウザに送出する（ＳＴ２１０）。
【００４７】
ＰＣ１１４のＷＷＷブラウザは、その撮影画像データを受信して、ＰＣ１１４上に画像番号４の撮影画像データを表示する（ＳＴ２１１）。このとき、表示された撮影画像データは、図７に示すようになる。このようにして、本デジタルカメラ１００で撮影された画像データが外部ネットワーク１１３に接続されたＰＣ１１４に表示される。
【００４８】
次に、ホームページのメイン画面から「リスト表示」アイコンが選択された場合について説明する。この場合にも、「画像表示」アイコンが選択された場合と同様に、「リスト表示」のアイコン表示位置にリンクされたリスト表示に対するファイル要求が発生する。
【００４９】
ＷＷＷサーバ部１０４は、このリスト表示のファイル要求を受信すると、記憶部１０８のｈｔｍｌファイル格納エリア１１１からリスト表示のｈｔｍｌファイルを読み出してＰＣ１１４のＷＷＷブラウザに送出する。ＰＣ１１４のＷＷＷブラウザがＷＷＷサーバ部１０４から受信したリスト表示のｈｔｍｌファイルにしたがって、リスト表示の画面（リスト表示文書画面）を表示する。
【００５０】
図８にリスト表示文書画面の構成例を示す。同図に示すように、リスト表示文書画面には、「撮影日」アイコンおよびその撮影日に本デジタルカメラ１００で撮影した画像データのリストが表示される。
【００５１】
図８に示すリスト表示文書画面が表示されたＰＣ１１４上でクライアントが希望する画像データのリストまたは「撮影日」アイコンが選択されるまで、本デジタルカメラ１００はそのまま待機する。
【００５２】
ここで、例えば、画像データのリストのうち、画像番号４のリスト（図８中に示すｉｍｇ４＿ｓ．ｊｐｇ）が選択された場合には、上述の画像表示文書画面の場合と同様に、画像番号４に対する撮影画像データ要求が発生し、その要求にＷＷＷサーバ部１０４が応じて、ＰＣ１１４上に図７に示すような画像番号４の撮影画像データが表示される。
【００５３】
一方、「撮影日」アイコンが選択されると、そのアイコンの表示位置にリンクされた「撮影日」に対応するファイル要求が発生する。すなわち、「撮影日（６月８日）」アイコンが選択された場合には、「撮影日（６月８日）」アイコンに対応するファイル（ｉｍｇ１＿ｓ．ｊｐｇ、ｉｍｇ２＿ｓ．ｊｐｇ、ｉｍｇ３＿ｓ．ｊｐｇ）の要求が発生する。
【００５４】
ＷＷＷサーバ部１０４は、このファイル要求を受信すると、記憶部１０８のｈｔｍｌファイル格納エリア１１１から該当するファイルを読み出してＰＣ１１４に送出する。ＰＣ１１４のＷＷＷブラウザがＷＷＷサーバ部１０４から受信した撮影日（６月８日）のｈｔｍｌファイルにしたがって、その撮影日に撮影された画像データのサムネイル画像データを含む、「撮影日」の画面（撮影日文書画面）を表示する。このとき、表示された撮影日文書画面は、図９に示すようになる。そして、この撮影日文書画面からクライアントが希望するサムネイル画像データが選択されると、それにＷＷＷサーバ部１０４が応じて、ＰＣ１１４上にそのサムネイル画像データに対応する撮影画像データが表示される。
【００５５】
このように、本実施の形態のデジタルカメラ１００によれば、ｈｔｍｌファイル作成部１０７が、本デジタルカメラ１００で撮影した画像データのサムネイル画像データを含む、ホームページ上で閲覧可能なｈｔｍｌファイルを作成する。これにより、外部ネットワーク１１３に接続されたＰＣ１１４のクライアントが本デジタルカメラ１００のホームページにアクセスすることによって、本デジタルカメラ１００で撮影した画像データを簡単に閲覧することができる。
【００５６】
また、本実施の形態のデジタルカメラ１００によれば、撮影した画像データのサムネイル画像データがホームページ上で表示される。このため、クライアントが画像データを選択する場合には、このサムネイル画像データで画像データを選択することができるので、クライアントは、より簡単に本デジタルカメラ１００で撮影した画像データを閲覧することができる。さらに、ホームページ上で表示されるサムネイル画像データに、例えば、撮影日等に付加情報を付加するように変更してもよい。このように変更した場合には、サムネイル画像データで選択すると共に、撮影日等でさらに選択することができるので、より簡単に画像データを選択することができる。
【００５７】
本実施の形態のデジタルカメラ１００では、ＪＦＩＦ方式に準拠した圧縮処理によって得られる、サムネイル画像データを含むｈｔｍｌファイルを作成している。しかし、これに限定されず、ＪＰＥＧ方式等に準拠した圧縮処理によって得られる圧縮画像データを含むｈｔｍｌファイルを作成するように変更してもよい。このように変更した場合でも、本実施の形態のデジタルカメラ１００と同様に、外部ネットワーク１１３に接続されたＰＣ１１４のクライアントが本デジタルカメラ１００で撮影した画像データを閲覧することができる。
【００５８】
また、本実施の形態のデジタルカメラ１００では、所定数以上の圧縮画像データが圧縮画像格納エリア１１２に格納された場合に、本デジタルカメラ１００で撮影した画像データを表示するためのｈｔｍｌファイルを作成している。しかし、所定数以上の圧縮画像データが圧縮画像格納エリア１１２に格納された場合に限定されず、本デジタルカメラ１００で撮影した画像データを表示するためのｈｔｍｌファイルを任意のタイミングで作成するように変更してもよい。このように変更した場合でも、本実施の形態のデジタルカメラ１００と同様に、外部ネットワーク１１３に接続されたＰＣ１１４のクライアントが本デジタルカメラ１００で撮影した画像データを閲覧することができる。
【００５９】
また、本実施の形態では、ＬＡＮ制御部１０３を内蔵し、外部ネットワーク１１３と接続して、ホームページに本デジタルカメラ１００で撮影した画像データを閲覧可能なデジタルカメラについて説明している。このとき、外部ネットワーク１１３との接続は、無線で行うように変更してもよい。このように変更した場合には、本デジタルカメラ１００で自由に移動しながら撮影した画像データをホームページ上で閲覧可能とすることができる。これにより、他のクライントは、本デジタルカメラ１００で撮影された画像データをより迅速に画像データを閲覧することができる。
【００６０】
また、本実施の形態では、静止画像についての画像データをホームページ上で閲覧可能なデジタルカメラについて説明している。しかし、静止画像に限定されるものではなく、本デジタルカメラ１００を動画像に適用してもよい。このように、動画像に適用した場合にも、本実施の形態と同様の効果を得ることができる。
【００６１】
また、本実施の形態では、クライアントが外部ネットワーク１１３に接続されたＰＣ１１４を通して、本デジタルカメラ１００で撮影した画像データを閲覧可能なデジタルカメラについて説明している。しかし、画像データの閲覧に限定されるものではない。すなわち、記憶部１０８にＣＧＩ処理プログラムを記憶させて、外部ネットワーク１１３に接続されたＰＣ１１４から指示された処理を行うように変更してもよい。例えば、外部ネットワーク１１３に接続されたＰＣ１１４から指示に基づいて、不要となった画像データの削除、または、編集等を行うように変更してもよい。このように変更した場合には、本デジタルカメラ１００で撮影した画像データを遠隔操作することができる。
【００６２】
【発明の効果】
以上説明したように、本発明によれば、本デジタルカメラで撮影した画像データを含む、ホームページ上で閲覧可能なｈｔｍｌファイルを作成するようにしたので、撮影した画像データを他のクライアントが簡単に閲覧可能なデジタルカメラを提供することができる。また、所定の数の画像が撮影される度に定期的にデジタルカメラが所定数分の撮影画像をホームページに掲載したホームページデータを作成するので、一撮影ごとに毎回ホームページデータを更新する場合に比べて撮影時に装置に負荷をかけないため、快適に連続撮影を行うことができ、またユーザはどの画像がホームページデータにまだ追加されていない画像かを把握する必要も、ホームページデータに画像の追加を指示操作する必要もなく、ユーザの負担をなくすことができる。
【図面の簡単な説明】
【図１】本発明の一実施の形態に係るデジタルカメラの構成を示すブロック図
【図２】上記実施の形態に係るデジタルカメラで撮影した画像データがＰＣに表示されるまでのフロー図
【図３】上記実施の形態に係るデジタルカメラの管理するｈｔｍｌファイルのファイル関連表を示す図
【図４】上記実施の形態に係るデジタルカメラが提供するホームページメイン画面の構成図
【図５】上記実施の形態に係るデジタルカメラが提供する画像表示文書画面の構成図
【図６】上記実施の形態に係るデジタルカメラが提供する画像表示文書画面のソースファイルのデータ例を示す図
【図７】上記実施の形態に係るデジタルカメラが提供する撮影画像の構成図
【図８】上記実施の形態に係るデジタルカメラが提供するリスト表示文書画面の構成図
【図９】上記実施の形態に係るデジタルカメラが提供する撮影日文書画面の構成図
【符号の説明】
１００  デジタルカメラ
１０１  レンズ
１０２  デジタル画像撮影部
１０３  ＬＡＮ制御部
１０４  ＷＷＷサーバ部
１０５  画像処理部
１０６  操作部
１０７  ｈｔｍｌファイル作成部
１０８  記憶部
１０９  制御部
１１０  撮影画像格納エリア
１１１  ｈｔｍｌファイル格納エリア
１１２  圧縮画像格納エリア
【図１】
0003805144.tif 000002
【図２】
0003805144.tif 000003
【図３】
0003805144.tif 000004
【図４】
0003805144.tif 000005
【図５】
0003805144.tif 000006
【図６】
0003805144.tif 000007
【図７】
0003805144.tif 000008
【図８】
0003805144.tif 000009
【図９】
0003805144.tif 000010